(57)【要約】【課題】ＤＤＳにおける発振周波数の可変を任意の周波数で停止させることができるカウンタ付ＤＤＳ回路を提供する。【解決手段】ＤＤＳ１０は、Ｉ／Ｏポート１１に与えられる情報に基づいて基準の周波数で発振を開始し、その後、一定周波数間隔で発振周波数が順次可変する。ＤＤＳ１０は発振動作を開始すると、出力端子１２から信号を出力すると共に同期／クロック端子１３から発振周波数の可変動作に同期したクロックを出力する。このクロックをカウンタＩＣ２０でカウントし、そのカウント出力をＤＤＳ１０のＰＳＯ端子１４に入力する。ＤＤＳ１０は、ＰＳＯ端子１４にカウンタＩＣ２０の出力信号が入力されると発振周波数の可変動作を停止し、出力端子１２から一定周波数の信号を出力する。【選択図】      図１
2008258783.tif 000002
【特許請求の範囲】
【請求項１】
基準の周波数で発振動作を開始し、該発振周波数が一定の周波数間隔で可変するＤＤＳと、前記ＤＤＳから発振周波数の可変動作に同期して出力されるクロックをカウントし、カウント値が予め設定された周波数に達した際に信号を出力するカウンタと、前記カウンタの出力を前記ＤＤＳのＰＳＯ制御端子に入力し、前記ＤＤＳの発振周波数の可変動作を停止させる手段とを具備することを特徴とするカウンタ付ＤＤＳ回路。
【発明の詳細な説明】
【技術分野】
【０００１】
本発明は、ＤＤＳ（Direct Digital Synthesizer：ダイレクト・デジタル・シンセサイザ）の発振周波数の可変動作を停止させる機能を備えたカウンタ付ＤＤＳ回路に関する。
【背景技術】
【０００２】
従来、無線機等において、発振回路として例えばＤＤＳを使用したものがある。  
従来のＤＤＳは、例えば周波数制御データ及び基準クロックによりアドレスデータを生成するアドレス演算器、１周期分の波形データを記憶し、上記アドレスデータによって波形データが読み出される波形メモリ、この波形メモリから読出された波形データを上記基準クロックに同期してアナログ信号に変換するＤ／Ａコンバータ、このＤ／Ａコンバータにより変換されたアナログ信号中の高周波成分を除去するローパスフィルタ等からなり、上記周波数制御データによって所定周波数のアナログサイン波形の信号を出力するように構成されている（例えば、特許文献１参照。）。
【特許文献１】特開平７−８６８３６号公報
【発明の開示】
【発明が解決しようとする課題】
【０００３】
上記従来のＤＤＳは、外部から与えられる周波数制御データ及び基準クロックによって発振動作を開始し、発振周波数が一定の周波数間隔で順次可変する自動掃引機能を備え、一度作動すると発振周波数の可変動作を停止することができない構成となっている。このため従来のＤＤＳは、製品に搭載された際に求められている周波数にて発振周波数の可変動作を停止することができないという問題があった。
【０００４】
本発明は上記の課題を解決するためになされたもので、ＤＤＳにおける発振周波数の可変動作を任意の周波数で停止させることができるカウンタ付ＤＤＳ回路を提供することを目的とする。
【課題を解決するための手段】
【０００５】
本発明に係るカウンタ付ＤＤＳ回路は、基準の周波数で発振動作を開始し、該発振周波数が一定の周波数間隔で可変するＤＤＳと、前記ＤＤＳから発振周波数の可変動作に同期して出力されるクロックをカウントし、カウント値が予め設定された周波数に達した際に信号を出力するカウンタと、前記カウンタの出力を前記ＤＤＳのＰＳＯ制御端子に入力し、前記ＤＤＳの発振周波数の可変動作を停止させる手段とを具備することを特徴とする。
【発明の効果】
【０００６】
本発明によれば、カウンタの設定値によってＤＤＳの発振周波数の可変を任意の周波数で停止させることができ、無線機等の信号発生の必要な回路に用いることにより、機器内部で任意周波数の信号を得ることができる。
【発明を実施するための最良の形態】
【０００７】
以下、図面を参照して本発明の実施形態を説明する。
【０００８】
（第１実施形態）
図１は本発明の第１実施形態に係るカウンタ付ＤＤＳ回路の構成を示すブロック図である。図１において、１０はＤＤＳ（Direct Digital Synthesizer）で、Ｉ／Ｏポート１１、出力端子１２、同期／クロック端子（SYNC/CLK）１３及びＰＳＯ端子１４を備えている。上記ＤＤＳ１０のＩ／Ｏポート１１には、基準周波数等の発振信号に関する情報が与えられる。ＤＤＳ１０は、Ｉ／Ｏポート１１に与えられる情報に基づいて所定の周波数を基準として発振を開始し、その後、一定周波数の間隔で発振周波数が順次可変する。また、ＤＤＳ１０は、ＰＳＯ端子１４に“１”レベルの信号が入力されると発振周波数の可変動作を停止し、出力端子１２から一定周波数の信号を出力する構成となっている。
【０００９】
上記ＤＤＳ１０は、発振動作を開始すると出力端子１２から信号を出力するが、同時に同期／クロック端子１３から発振周波数の可変動作に同期したクロック（矩形波）を出力する。このＤＤＳ１０の同期／クロック端子１３から出力されるクロックをカウンタＩＣ２０に入力してカウントし、そのカウント出力をＤＤＳ１０のＰＳＯ端子１４に入力する。
【００１０】
上記カウンタＩＣ２０は、上記ＤＤＳ１０の同期／クロック端子１３から出力されるクロックを予め設定した数だけカウントすると、“１”信号を出力し続ける。
【００１１】
ＤＤＳ１０は、ＰＳＯ端子１４にカウンタＩＣ２０の出力信号が入力されると、上記したように発振周波数の可変動作を停止し、出力端子１２から一定周波数の信号を出力する。
【００１２】
従って、カウンタＩＣ２０のカウント数、すなわち信号を出力するカウント数を設定することにより、ＤＤＳ１０における発振周波数の可変動作を所望の周波数で停止させることができる。
【００１３】
今、例えば図２に示すようにＤＤＳ１０が１００ＭＨｚを基準として１０ＭＨｚの間隔で発振周波数が順次可変するように設定されている場合において、１５０ＭＨｚの発振周波数で可変動作を停止したい場合には、カウンタＩＣ２０のカウント数を６回に設定する。
【００１４】
ＤＤＳ１０は、図２に示すように発振動作を開始した際及び発振周波数が可変する毎に同期／クロック端子１３からクロックを出力するので、同期／クロック端子１３から６個のクロックが出力されたときに１５０ＭＨｚの発振周波数となる。
【００１５】
カウンタＩＣ２０は、ＤＤＳ１０の同期／クロック端子１３から出力されるクロックをカウントし、そのカウント値が設定値「６」になったときに“１”信号を出力し、ＤＤＳ１０のＰＳＯ端子１４に入力する。
【００１６】
ＤＤＳ１０は、カウンタＩＣ２０の出力信号がＰＳＯ端子１４に入力されると、１５０ＭＨｚの発振周波数で可変動作を停止し、それ以後は出力端子１２から１５０ＭＨｚの信号を出力し続ける。
【００１７】
上記のようにカウンタＩＣ２０の設定値によってＤＤＳ１０の発振周波数の可変動作を任意の周波数で停止させることができる。従って、本実施形態に係るカウンタ付ＤＤＳ回路を無線機等の信号発生の必要な回路に用いることにより、無線機内部で任意周波数の信号を得ることができる。
【００１８】
（第２実施形態）
次に本発明の第２実施形態について説明する。
【００１９】
図３は、本発明の第２実施形態に係るカウンタ付ＤＤＳ回路の構成を示すブロック図である。この第２実施形態に係るカウンタ付ＤＤＳ回路は、第１実施形態で示したカウンタＩＣ２０に代えて演算機能を有するＤＳＰ（Digital Signal Processor）３０を使用し、このＤＳＰ３０のカウント動作を例えばパーソナルコンピュータ（以下、ＰＣと略称する）３１にて制御することにより、ＤＳＰ３０の出力により発振周波数の可変動作を一旦停止した後、再度可変動作を開始し、他の周波数で発振周波数の可変動作を停止できるようにしたものである。
【００２０】
この第２実施形態では、ＤＳＰ３０をカウンタ回路として動作させ、カウンタＩＣ２０と同様にカウント値が予め設定した値となったときに“１”信号を出力してＤＤＳ１０の発振周波数の可変動作を停止させる。この状態では、ＤＤＳ１０の出力端子１２から所定周波数の信号が出力される。
【００２１】
その後、カウンタＩＣ２０の発振周波数を他の周波数に設定したい場合には、ＰＣ３１からの制御指令によってＤＳＰ３０を再設定し、ＤＳＰ３０の出力を“０”信号レベルに戻し、ＤＤＳ１０の発振周波数の可変動作を再度開始させる。ＤＳＰ３０は、ＤＤＳ１０が発振周波数の可変動作を開始すると、ＤＤＳ１０の同期／クロック端子１３から出力されるクロックをカウントし、再設定されたカウント値に達すると信号を出力してＤＤＳ１０の発振周波数の可変動作を停止させる。
【００２２】
上記第２実施形態によれば、カウンタ回路としてＤＳＰ３０を使用することにより、ＤＤＳ１０の発振周波数を複数の任意の周波数に切替えることができる。
【００２３】
なお、本発明は、上記実施形態そのままに限定されるものではなく、実施段階ではその要旨を逸脱しない範囲で構成要素を変形して具体化できるものである。
【図面の簡単な説明】
【００２４】
【図１】本発明の第１実施形態に係るカウンタ付ＤＤＳ回路の構成を示すブロック図である。
【図２】同実施形態の動作を説明するためのＤＤＳの発振回数と発振周波数及びカウンタＩＣの信号出力との関係を示す図である。
【図３】本発明の第２実施形態に係るカウンタ付ＤＤＳ回路の構成を示すブロック図である。
【符号の説明】
【００２５】
１０…ＤＤＳ、１１…Ｉ／Ｏポート、１２…出力端子、１３…クロック端子、１４…ＰＳＯ端子、２０…カウンタＩＣ、３０…ＤＳＰ、３１…パーソナルコンピュータ（ＰＣ）
【図１】
2008258783.tif 000003
【図２】
2008258783.tif 000004
【図３】
2008258783.tif 000005